(57)【要約】【課題】媒体を紛失した際の情報漏洩の可能性を大幅に低減させることが可能な外部記憶媒体の提供。【解決手段】外部記憶媒体１は、セキュリティ機能付のソフトウェア１０を記憶するセキュリティ部１１とデータ格納用メモリ１２と電池１３とを備える。セキュリティ部１１が、接続しているパソコン２から電池１３への充電が正当であるかを判断し、判断結果に応じてパソコン２から電池１３への充電を許可または不許可とする。データ格納用メモリ１２が、パソコン２から入力されたデータを格納し、給電がなくなると、格納したデータが消去される。電池１３が、パソコン２から充電され、充電量に応じて所定の期間だけデータ格納用メモリ１２に給電する。【選択図】図１
2008152517.tif 000002
【特許請求の範囲】
【請求項１】
端末に接続して使用し且つ前記端末から切り離して持ち運び可能な外部記憶媒体であって、
セキュリティ機能付のソフトウェアを記憶する第１の記憶手段と、前記端末から入力されたデータを格納し、給電がなくなると、格納したデータが消去される第２の記憶手段と、前記端末から充電され、充電量に応じて所定の期間だけ前記第２の記憶手段に給電する給電手段とを備え、前記第１の記憶手段は、接続している端末から前記給電手段への充電が正当であるかを判断し、判断結果に応じて前記端末から前記給電手段への充電を許可または不許可とすることを特徴とする外部記憶媒体。
【請求項２】
上記第２の記憶手段に揮発性記憶のメモリを使用し、上記給電手段から前記第２の記憶手段への給電により前記第２の記憶手段に格納したデータを維持する請求項１に記載の外部記憶媒体。
【請求項３】
上記給電手段の充電量を設定する手段を備えている請求項１に記載の外部記憶媒体。
【請求項４】
上記第１の記憶手段が保存するパスワード情報が、接続した端末に送出される請求項１に記載の外部記憶媒体。
【請求項５】
ケースを有しており、前記ケースの破壊を検出して上記第２の記憶手段と上記給電手段との間の接続を切る手段を備えている請求項１に記載の外部記憶媒体。
【発明の詳細な説明】
【技術分野】
【０００１】
本発明は、外部記憶媒体であり、特に、一定時間経過でデータが消去される持ち運び可能な外部記憶媒体に関するものである。
【背景技術】
【０００２】
現状では、外部メモリには、不揮発性記憶が使われており、データの削除には、特定のプログラムによるデータ削除シーケンスが必要であり、そのデータ削除シーケンスが実行されない限りデータは存在し続ける。
【０００３】
従来、記憶媒体と直流電源を備える全電子フラッシュ・メモリ式外部記憶装置が特許文献１に開示されている。
【特許文献１】特開２００１−２１６０９９号公報
【発明の開示】
【発明が解決しようとする課題】
【０００４】
ところが、ネットワーク接続されていないシステム間で、ＵＳＢフラッシュメモリなどを使って機密情報を移動させる場合、情報セキュリティ上、以下の課題がある。
【０００５】
（１）ＵＳＢフラッシュメモリなどを紛失した場合、情報漏洩のおそれがある。
【０００６】
（２）（１）の情報漏洩を防ぐために、暗号化や読み取りパスワードなどのセキュリティ対策を行うのが一般的である。
【０００７】
（３）（２）においても解析などにより情報へのアクセスは可能である。
【０００８】
そこで、本発明の目的は、上記の事情に鑑みてなされたものであって、従来のＵＳＢフラッシュメモリの使用感を損なわずに、端末からの接続を切断後、一定時間が経過した時点でデータが自然に消去され、媒体を紛失した際の情報漏洩の可能性を大幅に低減させることが可能な外部記憶媒体を提供することにある。
【課題を解決するための手段】
【０００９】
本発明の外部記憶媒体は、端末に接続して使用し且つ前記端末から切り離して持ち運び可能な外部記憶媒体であって、セキュリティ機能付のソフトウェアを記憶する第１の記憶手段と、前記端末から入力されたデータを格納し、給電がなくなると、格納したデータが消去される第２の記憶手段と、前記端末から充電され、充電量に応じて所定の期間だけ前記第２の記憶手段に給電する給電手段とを備え、前記第１の記憶手段が、接続している端末から前記給電手段への充電が正当であるかを判断し、判断結果に応じて前記端末から前記給電手段への充電を許可または不許可とすることを特徴とする構成を有するものである。
【００１０】
本発明の外部記憶媒体は、上記第２の記憶手段に揮発性記憶のメモリを使用し、上記給電手段から前記第２の記憶手段への給電により前記第２の記憶手段に格納したデータを維持するようになっている。
【００１１】
本発明の外部記憶媒体は、上記給電手段の充電量を設定する手段を備えている。
【００１２】
本発明の外部記憶媒体は、上記第１の記憶手段が保存するパスワード情報が、接続した端末に送出されるようになっている。
【００１３】
本発明の外部記憶媒体は、ケースを有しており、前記ケースの破壊を検出して上記第２の記憶手段と上記給電手段との間の接続を切る手段を備えている。
【発明の効果】
【００１４】
以上に述べたように、本発明によれば、従来のＵＳＢフラッシュメモリの使用感を損なわずに、端末からの接続を切断後、一定時間が経過した時点でデータが自然に消去され、媒体を紛失した際の情報漏洩の可能性を大幅に低減させることが可能な外部記憶媒体を得ることができる。
【発明を実施するための最良の形態】
【００１５】
以下、本発明を実施するための最良の形態を図面を参照して詳細に説明する。
【実施例】
【００１６】
本発明の外部記憶媒体１は、端末であるパソコン（ＰＣ；Ｐｅｒｓｏｎａｌ  Ｃｏｍｐｕｔｅｒ）２に接続して使用し且つパソコン２から切り離して持ち運び可能な記憶媒体である。
【００１７】
本発明の外部記憶媒体１は、セキュリティ機能付のソフトウェア１０を記憶する第１の記憶手段であるセキュリティ部１１と、パソコン２から入力されたデータを格納し、給電がなくなると、格納したデータが消去される第２の記憶手段であるデータ格納用メモリ１２と、パソコン２から充電され、充電量に応じて所定の期間だけデータ格納用メモリ１２に給電する給電手段である電池１３とを備えている。
【００１８】
本発明の外部記憶媒体１は、セキュリティ部１１が、接続しているパソコン２から電池１３への充電が正当であるかを判断し、判断結果に応じてパソコン２から電池１３への充電を許可または不許可とするようになっている。
【００１９】
本発明の外部記憶媒体１は、データ格納用メモリ１２に揮発性記憶のメモリを使用し、電池１３からデータ格納用メモリ１２への給電によりデータ格納用メモリ１２に格納したデータを維持するようになっている。
【００２０】
本発明の外部記憶媒体１は、電池１３の充電量を設定する手段を備えている。
【００２１】
本発明の外部記憶媒体１は、セキュリティ部１１が保存するパスワード情報が、接続したパソコン２に送出されるようになっている。
【００２２】
本発明の外部記憶媒体１は、ケース１４を有している。
【００２３】
本発明の外部記憶媒体１は、ケース１４の破壊を検出してデータ格納用メモリ１２と電池１３との間の接続を切る手段を備えている。
【００２４】
図１は、本発明の実施例に係る外部記憶媒体と端末の構成を示すブロック図である。
外部記憶媒体１は、図１に示すように、第１の記憶手段であるセキュリティ部１１と、第２の記憶手段であるデータ格納用メモリ１２と、給電手段である電池１３とを備えている。
【００２５】
セキュリティ部１１は、不揮発性メモリである。
【００２６】
データ格納用メモリ１２は、揮発性メモリである。
【００２７】
セキュリティ部１１には、図１に示すように、セキュリティ機能付のソフトウェア１０が記憶されている。
【００２８】
セキュリティ部１１は、パスワードによるソフトウェア１０の起動制限機能を有している。
【００２９】
データ格納用メモリ１２は、パソコン２から入力されたデータを格納する。
【００３０】
また、データ格納用メモリ１２は、電池１３からの給電がなくなると、格納したデータが消去される。
【００３１】
電池１３は、パソコン２から充電される。
【００３２】
また、電池１３は、充電量に応じて所定の期間だけデータ格納用メモリ１２に給電を行う。
【００３３】
外部記憶媒体１は、データ格納用メモリ１２に揮発性記憶を使用し、外部記憶媒体１内部の電池１３からの給電によりデータを維持する。
【００３４】
また、外部記憶媒体１は、電池１３の充電量によりデータ格納用メモリ１２に格納したデータのデータ維持時間を調整する。
【００３５】
パソコン２から外部記憶媒体１の電池１３への充電は、外部記憶媒体１のセキュリティ部１１に格納されたセキュリティ機能付のソフトウェア１０からのみ行える。
【００３６】
さらに、外部記憶媒体１は、セキュリティ部１１にパスワード情報を保存する。
【００３７】
パソコン２は、図１に示すように、ＯＳ（Ｏｐｅｒａｔｉｎｇ  Ｓｙｓｔｅｍ）２０と、標準ＵＳＢ（Ｕｎｉｖｅｒｓａｌ  Ｓｅｒｉａｌ  Ｂｕｓ）デバイスドライバ２１とを有している。
【００３８】
ＯＳ２０は、多くのアプリケーションソフトから共通して利用される基本的な機能を提供する基本ソフトウェアである。
【００３９】
標準ＵＳＢデバイスドライバ２１は、パソコン２に接続される外部記憶媒体１を動作させるためのソフトウェアである。
【００４０】
パソコン２から外部記憶媒体１の電池１３への充電は、ＵＳＢインタフェース３が用いられる。
【００４１】
次に、本発明の実施例に係る外部記憶媒体における電池の充放電について、以下に説明する。
まず、利用者は、パソコン２に接続した外部記憶媒体１のセキュリティ部１１に記憶されたソフトウェア１０を起動させる。
【００４２】
パソコン２に入力されたパスワードは、不揮発性記憶のセキュリティ部１１に記憶されているパスワードと一致していることがソフトウェア１０を起動させるための条件となる。
【００４３】
ソフトウェア１０が起動している状態でのみ、電池１３からデータ格納用メモリ１２へ給電する分の電力が給電される。
【００４４】
充電指示によりソフトウェア１０は、電池１３の充放電を必要量だけ行う。
【００４５】
次に、本発明の実施例に係る外部記憶媒体におけるデータの入出力について、以下に説明する。
パソコン２のＯＳ２０から外部記憶媒体１にアクセスすると、電池１３の充放電と同様に、外部記憶媒体１のセキュリティ部１１に組み込まれたソフトウェア１０が起動される。
【００４６】
外部記憶媒体１は、パスワードチェックを行い、パソコン２に入力されたパスワードと外部記憶媒体１のセキュリティ部１１に記憶されているパスワードが一致したとき、データの入出力が可能となる。
【００４７】
利用者がパソコン２から入力したデータは暗号化され、外部記憶媒体１の揮発性記憶のデータ格納用メモリ１２に格納される。
【００４８】
次に、本発明の実施例に係る外部記憶媒体における端末から切り離された後の動作について、以下に説明する。
まず、利用者が外部記憶媒体１をパソコン２から切り離すと、外部記憶媒体１のデータ格納用メモリ１２は、電池１３からの給電により、格納されたデータを維持し続ける。
【００４９】
パソコン２から切り離された外部記憶媒体１は、電池１３に充電された電気が無くなると、電池１３からデータ格納用メモリ１２への給電が無くなり、データ格納用メモリ１２に格納されているデータは消去される。
【００５０】
以上実施例で説明したが、本発明の一定時間経過でデータが消去される持ち運び可能な外部記憶媒体の概要は、以下の通りである。
（１）外部記憶媒体１は、揮発性記憶のデータ格納用メモリ１２の特性を利用し、内蔵された電池１３によりデータ格納用メモリ１２に格納したデータを維持するが、一定時間を超過すると、電池１３が切れて、データ格納用メモリ１２に記憶されているデータが消去される機能を有する記憶媒体である。
【００５１】
（２）パソコン２から外部記憶媒体１の電池１３への充電は、ＵＳＢインタフェース３を用いる。
【００５２】
（３）外部記憶媒体１の電池１３の充放電管理には、専用のデバイスドライバ及びソフトウェア１０を用いることで、第三者が電池１３に充電できないようにする。
【図面の簡単な説明】
【００５３】
【図１】本発明の実施例に係る外部記憶媒体と端末の構成を示すブロック図。
【符号の説明】
【００５４】
１  外部記憶媒体
２  パソコン（端末）
３  ＵＳＢインタフェース
１０  ソフトウェア
１１  セキュリティ部（第１の記憶手段）
１２  データ格納用メモリ（第２の記憶手段）
１３  電池（給電手段）
１４  ケース
２０  ＯＳ
２１  標準ＵＳＢデバイスドライバ
【図１】
2008152517.tif 000003